(57)【特許請求の範囲】
【請求項１】
地上波デジタル放送ネットワークに属する送信源から送信される放送波を受信する受信手段と、
該受信手段によって受信した放送波から当該放送波に含まれるＮＩＴ情報を分離して取得するＮＩＴ情報取得手段と、
該ＮＩＴ情報取得手段によって取得されたＮＩＴ情報を複数保存できる記憶手段と、
前記ＮＩＴ情報取得手段によって新たに取得したＮＩＴ情報の放送波の送信源が、該記憶手段に既に保存されているＮＩＴ情報を取得した放送波の送信源と同じであるか否かを判別し、送信源が同じである場合は、両ＮＩＴ情報のバージョンを比較した上で、前記ＮＩＴ情報取得手段によって新たに取得されたＮＩＴ情報のバージョンが該記憶手段に既に保存されているＮＩＴ情報のバージョンよりも新しい場合にのみ、該記憶手段に既に保存されているＮＩＴ情報に代えて前記ＮＩＴ情報取得手段によって新たに取得されたＮＩＴ情報を該記憶手段に保存して更新する一方、送信源が異なっている場合には、該記憶手段に既に保存されているＮＩＴ情報に加えて前記ＮＩＴ情報取得手段によって新たに取得されたＮＩＴ情報を該記憶手段に追加して新たに保存する保存制御手段と
を備えることを特徴とする受信装置。
【請求項２】
前記保存制御手段は、前記ＮＩＴ情報取得手段によって新たに取得したＮＩＴ情報の放送波の送信源が、該記憶手段に既に保存されているＮＩＴ情報を取得した放送波の送信源と同じであるか否かの判別は、前記ＮＩＴ情報取得手段が新たにＮＩＴ情報を取得するに際して前記受信手段が受信した放送波のチャンネル周波数と、該記憶手段に既に保存されているＮＩＴ情報に基づくチャンネル周波数とを比較し、前記受信手段が受信した放送波のチャンネル周波数が該記憶手段に既に保存されているＮＩＴ情報に基づくチャンネル周波数と同じであるか否かにより判別する
ことを特徴とする請求項１記載の受信装置。
【請求項３】
前記記憶手段に保存されているＮＩＴ情報に基づくチャンネル周波数を、ＮＩＴ情報毎に対応させてチャンネルリストとして保存するチャンネルリスト記憶手段
を備えていることを特徴とする請求項２記載の受信装置。
【請求項４】
ＮＩＴ情報毎のチャンネルリスト及び当該ＮＩＴ情報毎のチャンネルリストから得られる全放送波のチャンネルリストの内のいずれか一方のチャンネルリストを表示する表示手段
をさらに備えることを特徴とする請求項３記載の受信装置。
【請求項５】
前記表示手段にいずれか一方のチャンネルリストを選択的に表示させるための操作手段
をさらに備えることを特徴とする請求項４記載の受信装置。
【発明の詳細な説明】
【０００１】
【発明の属する技術分野】
本発明は、デジタル放送、特にＭＰＥＧ（Moving Picture Experts Group ）システムを用いた地上波デジタル放送の受信に適する受信装置に関する。
【０００２】
【従来の技術】
従来、地上波放送では、複数の送信源を用い、各送信源がカバーする放送エリアを隙間なく敷き詰めることによって、広域放送を実現している。
【０００３】
図６は、この地上波放送の放送エリアの模式図を示す。
地上波放送では、各送信源（例えば東京タワーのような放送塔）Ｂ１，Ｂ２，Ｂ３，Ｂ４からそれぞれの放送エリアＡ１，Ａ２，Ａ３，Ａ４に対して同一周波数帯内の互いに異なる周波数で放送を提供している。
【０００４】
各放送エリアＡ１，Ａ２，Ａ３，Ａ４は、それぞれの送信源Ｂ１，Ｂ２，Ｂ３，Ｂ４を中心に、円状に分布している。そこで、隙間なく放送を行うため、隣り合う放送エリア同士はある程度の重複部分Ｃをもって設計され、例えば図６に示す放送エリアＡ１の場合は、隣り合う放送エリアＡ２，Ａ３とある程度の重複部分Ｃ１２，Ｃ１３を形成するように設計されている。
【０００５】
一般的に、この放送エリアＡ１，Ａ２，Ａ３が重なり合う地域Ｃ１２，Ｃ１３では、隣り合う送信源Ｂ１，Ｂ２，Ｂ３同士が異なる周波数で放送を提供するようになっているため、各放送波Ｆ１，Ｆ２，Ｆ３間の混信が避けられるようになっている。
【０００６】
【発明が解決しようとする課題】
ところで、この放送エリアＡ１，Ａ２の重複部分Ｃ１２では、少なくとも２つの送信源Ｂ１，Ｂ２から送られてきた放送波Ｆ１，Ｆ２を受信することができる。
そこで、アナログ放送の場合は、受信を希望するチャンネルの周波数を、ユーザ自身が受信装置に設定しておきさえすれば、全ての受信可能な放送を受信することができる。
【０００７】
この結果、アナログ放送では、放送エリアＡ１，Ａ２の境界部分Ｃ１２では、複数の送信源Ｂ１，Ｂ２から送信される別々の番組を、別々のチャンネルで受信することができる。
ところが、変復調や情報符号化にデジタル技術を用いたいわゆるデジタル放送の場合、上記アナログ放送とは異なり、１キャリア当たり複数の番組を伝送することが可能となっている。
【０００８】
例えば，ＭＰＥＧシステムを基本とするデジタル放送の受信装置においては、放送チャンネルの周波数の設定は、複数の番組を時分割多重して伝送するトランスポート・ストリーム（Transport Stream、以下、ＴＳと称する）で使用されるＴＳパケットの中のＮＩＴ（Network Information Table）に記載されており、選局はこのＮＩＴ情報にしたがって機械的に行われる。
そのため、ＭＰＥＧシステムを基本とするデジタル放送の受信装置では、このＮＩＴに記載されていないチャンネル周波数は受信されない。
【０００９】
したがって、例えば前述のような放送エリアＡ１，Ａ２，Ａ３が重なり合う地域Ｃ１２，Ｃ１３では、仮に受信装置が放送エリアＡ１の送信源Ｂ１からのデジタル放送波Ｆ１を受信し、その放送波Ｆ１のＴＳで使用されるＴＳパケットからＮＩＴ情報NIT-f1を取得した場合は、放送チャンネルの周波数の設定は放送エリアＡ１の送信源Ｂ１からだけのものに限られてしまい、当該ＮＩＴ情報NIT-f1に記載されていない、放送エリアＡ２の送信源Ｂ２又は放送エリアＡ３の送信源Ｂ３から放送される放送チャンネルの周波数Ｆ２，Ｆ３の設定は行われず、送信源Ｂ２，Ｂ３から放送されるデジタル放送のＮＩＴ情報nit-f2，nit-f3は、受信装置によって取得される機会はない。
【００１０】
図７は、このＭＰＥＧシステムを基本とする従来のデジタル放送受信装置で用いられていたＮＩＴ情報の保存方法を説明するフローチャートである。
ＴＳはＴＳパケットが連続したもので、ＴＳパケットは、４バイトの固定長のヘッダー部と、１８４バイトの固定長のデータ部とから構成される。
受信装置は、ステップＳ１０１でＴＳパケットを受信すると、ステップＳ１０２でヘッダー部に含まれているパケット識別子ＰＩＤ（Packet Identifier：１３ビットのバイナリデータ）からＴＳパケットのデータ部の内容を判定する。
【００１１】
ここで、データ部の中身としては、時分割多重して放送する各番組の映像・音声データからなる番組情報データと、ＰＡＴ（Program Association Table）情報，ＰＭＴ（Program Map Table）情報，及びＮＩＴ情報等といったプログラム仕様情報データＰＳＩ（Program Specific Information）とがある。これら各情報にはそのヘッダー部にそれぞれ異なるパケット識別子ＰＩＤが予め割り当てられている。
【００１２】
特にＰＡＴ情報については、システム規格によって、そのパケット識別子ＰＩＤには所定のバイナリデータが固定的に付されており、ＮＩＴ情報の判定は、それ以前のＴＳパケットの受信段階で判定されるＰＡＴ情報に記載されている、ＮＩＴ情報が記載されているＴＳパケットのパケット識別子ＰＩＤに基づいて行われる（ステップＳ１０２）。
【００１３】
この結果、当該ＴＳパケットのデータ部の内容が、そのパケット識別子ＰＩＤからＮＩＴ情報nitであると判定された場合は（ステップＳ１０３）、データ部の内容は解析部に渡され、必要な項目が抽出される（ステップＳ１０４）。
ここで、解析部においてＮＩＴ情報nitから抽出される必要な項目としては、当該ＮＩＴのバージョン情報VIや、当該ＮＩＴが属する放送内に存在するチャンネルの周波数（チャンネル情報）CIや、当該ＮＩＴが含まれているＴＳのＩＤ番号等である。
そして、この解析部で抽出されたＮＩＴのバージョン情報VIは、既に取得済のＮＩＴのバージョン情報VIと比較される（ステップＳ１０５）。
【００１４】
この比較の結果、今回取得したＮＩＴのバージョン情報VIが既に取得済のＮＩＴのバージョン情報VIよりも新しいと判断されると（ステップＳ１０６）、今回取得したＮＩＴ情報を既に取得済のＮＩＴ情報に代えてメモリに保存し（ステップＳ１０７）、新たにチャンネルリストを作成して（ステップＳ１０８）、この作成したリストをメモリに保存しておくようになっている（ステップＳ１０９）。これに対して、今回取得したＮＩＴのバージョン情報VIが既に取得済のＮＩＴのバージョン情報VIと同じか又は古いと判断されると（ステップＳ１０６）、今回取得したＮＩＴのバージョン情報VIのメモリへの保存や、新たにチャンネルリストの作成等は行わない。
【００１５】
しかしながら、この種の従来の受信装置は、特開平１０−７９９３５号公報等に記載されているように、地上波と、ＢＳ（放送衛星）やＣＳ（通信衛星）との間等のように、異なるネットワークに属するＮＩＴはネットワーク毎におのおの区別できるので、それぞれのＮＩＴをネットワーク別に管理することが可能であった。
【００１６】
ところが、地上波デジタル放送における各放送波Ｆ１，Ｆ２，Ｆ３のように、同一のネットワークに属するＮＩＴの場合は、異なる放送エリアＡ１，Ａ２，Ａ３の情報であったとしても、ＮＩＴには放送エリアＡ１，Ａ２，Ａ３を識別する機能がないため、既に受信した放送エリアA-m以外の放送エリアA-not(m)のＮＩＴは無視されるか、既に受信した放送エリアA-mのＮＩＴ情報nit-fmに新たに受信した放送エリアのＮＩＴ情報nit-fnot(m)を上書きしてしまうことになる。
【００１７】
そこで、本発明は、上記問題点に鑑み、複数のＮＩＴ情報を保存し、これらのＮＩＴ情報に基づく番組を全て受信し、視聴者に提供できるようにした地上波デジタル放送の受信に適する受信装置を提供することを目的とする。
さらに、おのおののＮＩＴ情報を個別に管理することによって、ＮＩＴ情報の更新や、放送エリア毎のチャンネルリストの作成を可能にした受信装置を提供することを目的とする。
【００１８】
【課題を解決するための手段】
上記課題を解決するために本発明の受信装置は、地上波デジタル放送ネットワークに属する送信源から送信される放送波を受信する受信手段と、該受信手段によって受信した放送波から当該放送波に含まれるＮＩＴ情報を分離して取得するＮＩＴ情報取得手段と、該ＮＩＴ情報取得手段によって取得されたＮＩＴ情報を複数保存できる記憶手段と、前記ＮＩＴ情報取得手段によって新たに取得したＮＩＴ情報の放送波の送信源が、該記憶手段に既に保存されているＮＩＴ情報を取得した放送波の送信源と同じであるか否かを判別し、送信源が同じである場合は、両ＮＩＴ情報のバージョンを比較した上で、前記ＮＩＴ情報取得手段によって新たに取得されたＮＩＴ情報のバージョンが該記憶手段に既に保存されているＮＩＴ情報のバージョンよりも新しい場合にのみ、該記憶手段に既に保存されているＮＩＴ情報に代えて前記ＮＩＴ情報取得手段によって新たに取得されたＮＩＴ情報を該記憶手段に保存して更新する一方、送信源が異なっている場合には、該記憶手段に既に保存されているＮＩＴ情報に加えて前記ＮＩＴ情報取得手段によって新たに取得されたＮＩＴ情報を該記憶手段に追加して新たに保存する保存制御手段とを備えることを特徴とする。
これにより、同一の地上波デジタル放送ネットワークに属する番組を全てを受信し、視聴者に提供できるようになる。
【００１９】
また、本発明の受信装置においては、前記保存制御手段は、前記ＮＩＴ情報取得手段によって新たに取得したＮＩＴ情報の放送波の送信源が、該記憶手段に既に保存されているＮＩＴ情報を取得した放送波の送信源と同じであるか否かの判別は、前記ＮＩＴ情報取得手段が新たにＮＩＴ情報を取得するに際して前記受信手段が受信した放送波のチャンネル周波数と、該記憶手段に既に保存されているＮＩＴ情報に基づくチャンネル周波数とを比較し、前記受信手段が受信した放送波のチャンネル周波数が該記憶手段に既に保存されているＮＩＴ情報に基づくチャンネル周波数と同じであるか否かにより判別することを特徴とする。
これにより、ＮＩＴ情報取得手段によって新たに取得したＮＩＴ情報の放送波の送信源が、記憶手段に既に保存されているＮＩＴ情報を取得した放送波の送信源と同じであるか否かの判別を、両ＮＩＴ情報から抽出されるチャンネル周波数同士の比較によって正確に行える。
【００２０】
また、本発明の受信装置においては、前記記憶手段に保存されているＮＩＴ情報に基づくチャンネル周波数を、ＮＩＴ情報毎に対応させてチャンネルリストとして保存するチャンネルリスト記憶手段を備えていることを特徴とする。
これにより、各チャンネルリストをＮＩＴ情報毎に順次切替えて個別に表示することができ、選局作業が容易になる。
【００２１】
また、本発明の受信装置においては、ＮＩＴ情報毎のチャンネルリスト及び当該ＮＩＴ情報毎のチャンネルリストから得られる全放送波のチャンネルリストの内のいずれか一方のチャンネルリストを表示する表示手段をさらに備えることを特徴とする。
これにより、視聴者は、選局作業の際、所望のチャンネルリストを使用して選局作業が容易に行える。
【００２２】
また、本発明の受信装置においては、前記表示手段にいずれか一方のチャンネルリストを選択的に表示させるための操作手段をさらに備えることを特徴とする。
これにより、チャンネルリストの表示切替えが容易になる。
【００２３】
【発明の実施の形態】
以下、添付図面を参照しながら、本発明の好適な実施の形態について詳細に説明する。
図１は、本発明の実施の形態に係る受信装置１（１０）の構成を示すブロック図である。
【００２４】
地上波デジタル放送の放送波Ｆは、アンテナ２を介して同調部３に入力され、同調部３で復調された信号が、解析部４に入力される構成となっている。この解析部４では、ＴＳパケットのデータ部の内容をパケット識別子ＰＩＤに基づき解析し、番組を構成する映像や音声の番組情報データを映像音声処理部５へ出力するための分離や、選局に必要な情報やユーザへ提示する番組情報等のプログラム仕様情報データを分離する構成となっている。
ＣＰＵ６は、これらの情報をメモリ７に貯えるとともに、前述した同調部３及び解析部４の各部を制御する。
【００２５】
解析部４によって分離された番組情報データや、ＣＰＵ６によってメモリ７に貯えられていた番組情報データ等は、ＣＰＵ６からの制御に基づいて、映像音声処理部５に供給され、ここで映像と音声信号が再生されるようになっている。なお、ＣＰＵ６には、ユーザが選局等の各種設定を行う操作部８も接続されている。
このように構成される受信装置１において、ＣＰＵ６は、地上波デジタル放送のＴＳの受信に関連し、同調部３及び解析部４等を次のように制御する構成となっている。
【００２６】
図２は、本発明の一の実施の形態に係る受信装置１の動作を説明するフローチャートである。
ステップＳ１１で、受信装置１がある地上波デジタル放送のＴＳパケットを受信すると、ステップＳ１２で、受信装置１は、そのヘッダー部に含まれているパケット識別子ＰＩＤから、当該受信したＴＳパケットのデータ部の内容を判別する。
【００２７】
ここで、当該受信したＴＳパケットのデータ部の内容がそのパケット識別子ＰＩＤによってＮＩＴと判定された場合は（ステップＳ１３）、そのＮＩＴ情報nit-fと既に取得済のＮＩＴ情報nit-1〜nit-nとを比較し（ステップＳ１４）、そのＮＩＴ情報が既に取得済のＮＩＴ情報nit-1〜nit-nと同じ放送エリアに属するものであるか否かを判別する（ステップＳ１５）。
【００２８】
この判別は、受信装置１のメモリ７のＮＩＴ情報保存記憶部ＮＭに記憶されている既に取得済のＮＩＴ情報nit-1〜nit-nの中に、例えば、ステップＳ１１で当該ＮＩＴ情報nit-fを受信したチャンネル周波数と同じチャンネル周波数がＮＩＴ情報nit-m（１≦ｍ≦ｎ）から作成されたチャンネルリストの中に存在するか否かによって行われる。
【００２９】
ステップＳ１５で、ステップＳ１１で受信した当該ＮＩＴ情報nit-fが既に取得済のＮＩＴ情報nit-1〜nit-nと同じ放送エリアA-1〜A-nに属するものであると判別された場合は、このステップＳ１１で新たに取得したＮＩＴ情報nit-f は、そのデータ部の内容が解析部４に渡され、解析部４は必要な項目としてそのバージョン情報VI-fや、そのチャンネル情報（チャンネル周波数等）CI-fを抽出する（ステップＳ１６）。
【００３０】
その上で、受信装置１は、ＮＩＴ情報保存記憶部ＮＭに既に取得済のＮＩＴ情報nit-mのバージョン情報VI-mと、ステップＳ１３で新たに取得したＮＩＴ情報nit-fのバージョン情報VI-fとを比較する（ステップＳ１７）等して、いずれのＮＩＴ情報nit-f，nit-mが新しいバージョンであるかを判定する（ステップＳ１８）。
【００３１】
この結果、ステップＳ１８で、今回新たに取得したＮＩＴ情報nit-fのバージョン情報VI-fが、既に取得済のＮＩＴ情報nit-mのバージョン情報VI-mよりも新しくなっていると判定された場合は、既に取得済のＮＩＴ情報nit-mに代えて、今回新たに取得したＮＩＴ情報nit-fを、既に取得済のＮＩＴ情報nit-mに上書きして、新たなＮＩＴ情報nit-mとしてメモリ７のＮＩＴ情報保存記憶部ＮＭに保存し、ＮＩＴ情報nit- m を更新する（ステップＳ１９）。
そして、受信装置１は、更にこの更新したＮＩＴ情報nit-mのチャンネルリストＣＬmを更新し（ステップＳ２０）、この更新したチャンネルリストＣＬmをメモリ７のチャンネルリスト記憶部ＬＭに更新記憶する（ステップＳ２１）。
【００３２】
図３は、本実施の形態に係る受信装置１のチャンネルリスト記憶部ＬＭに記憶されているチャンネルリストＣＬの構成例を示したものである。
なお、前記ステップＳ１８で、今回新たに取得したＮＩＴ情報nit-fのバージョン情報VI-fが、既に取得済のＮＩＴ情報nit-mのバージョン情報VI-mと同じである場合は、ステップＳ１１で受信したＮＩＴ情報nit-fに関する処理を終了し、次回のステップＳ１１によるＴＳパケットの受信処理に備える。この場合は、ＮＩＴ情報保存記憶部ＮＭ及びチャンネルリスト記憶部ＬＭの記憶内容は更新されない。
【００３３】
また、ステップＳ１５で、ステップＳ１１で受信した当該ＮＩＴ情報nit-fがＮＩＴ情報保存記憶部ＮＭの取得済のＮＩＴ情報nit-1〜nit-nにない新規のものであると判別された場合は、受信装置１は、ステップＳ１７，Ｓ１８に示すバージョン情報VI-fに関する確認処理を行うことなく、前述したステップＳ１６及びステップＳ１９〜２０に示した処理を行うことによって、ＮＩＴ情報nit-fについてＮＩＴ情報nit-n+1としてＮＩＴ情報保存記憶部ＮＭに対する新規登録処理、及びチャンネルリストＣＬn+1についてのチャンネルリスト記憶部ＬＭに対する新規登録処理を行う。
【００３４】
さらにまた、ステップＳ１１で受信したＴＳパケットがそのパケット識別子ＰＩＤからＮＩＴ以外のものであるとステップＳ１３で判定されたときには、当該パケット識別子が表す、番組情報，ＰＡＴ情報，ＰＭＴ情報プログラムといった仕様情報データ番組情報ＰＳＩの種別に応じた処理が、受信装置１によって行われる（図示略）。
【００３５】
本実施の形態の地上波デジタル放送の受信装置１は、以上のように構成されるが、本受信装置１によれば、同じネットワークに属する複数のＮＩＴ情報を取得し、これらを放送エリア毎にＮＩＴ情報保存記憶部ＮＭに保存し、必要に応じて更新することが可能になる。
【００３６】
この結果、ユーザが受信装置１の操作部８を操作して、別の放送エリアの地上波デジタル放送のＴＳパケットを同調部３を作動させて新たに受信する毎に、受信装置１には、当該放送エリアのＮＩＴ情報が随時新たに追加されるので、より多くの地上波デジタル放送の放送チャンネルを受信できるようになる。
【００３７】
図４は、本発明の他の実施の形態に係る受信装置１０の動作を説明するフローチャートである。
受信装置１０には、前述した実施の形態の受信装置１に対し、図１に破線で示すように、同調部３に、電源投入時や、予め設定されている特定の時間帯等といった所定時になると、受信周波数帯域全域を走査し、受信可能なＴＳの周波数を順次検索して同調をとっていく自動同調手段３０が付加されている点が異なる。
【００３８】
この自動同調手段３０は、例えば所定時になると、受信帯域全域（ｆ-min〜ｆ-max）の最低周波数ｆ-minに受信周波数の同調をとり、そのときにおける受信信号レベル等に基づき、当該周波数ｆ-minにおいてＴＳが復号可能に受信されているか否かを受信判定部３１で判断し、当該周波数ｆ-minにおいてＴＳが復調可能に受信されていると判定される場合には、図４において示したステップＳ５１以降の処理を行わせる一方、また、当該周波数ｆ-minにおいてＴＳが受信されていない、又はＴＳが復号可能に受信されていないと判定された場合には、走査部３２を駆動して現在の受信周波数ｆ-minを受信帯域全域の最高周波数ｆ-max側に予め定められている単位周波数分ｆbだけ上昇させ、上述した受信判定部３１による処理を行い、受信帯域全域（ｆ-min〜ｆ-max）に渡って順次繰り返し行う構成となっている。
【００３９】
そして、受信装置１０は、自動同調手段３０の受信判定部３１によって、当該周波数ｆm（ｆ-min≦ｆm≦ｆ-max）においてＴＳが復号可能に受信されていると判定されたときには、その判定出力を受けて図４に示したステップＳ５１以降の処理を行う。
【００４０】
すなわち、ステップＳ５１で、自動同調手段３０の受信判定部３１によって、当該周波数ｆm（ｆ-min≦ｆm≦ｆ-max）においてＴＳが復号可能に受信されていると判定されたときには、当該周波数ｆmのＴＳパケットを受信する。
そして、ステップＳ５２で当該ＴＳパケットのヘッダー部に含まれているパケット識別子PIDからＴＳパケットのデータ部の内容を判定する。
【００４１】
ここで、当該受信したＴＳパケットのデータ部の内容がそのパケット識別子ＰＩＤからＮＩＴと判定された場合は（ステップＳ５３）、自動同調手段３０の走査部３２から当該ＮＩＴを取得している周波数、すなわち現在受信中の周波数ｆmを獲得し、既に取得されているＮＩＴ情報nit-1〜nから作成されたＮＩＴ情報チャンネルリストＣＬ-1〜nの中に、当該受信中周波数ｆmが含まれているか否かが比較判別される（ステップＳ５４-1）。
【００４２】
この比較判別の結果、例えばこのチャンネルリストＣＬ-1〜nのうちの、チャンネルリストＣＬ-1に記載されているチャンネル情報CI-CL1（すなわち、チャンネル周波数fCL1-1〜n）の中に、当該受信中周波数ｆmと同じチャンネル周波数ｆCL1-m（１≦m≦ｎ）があった場合は（ステップＳ５５-1）、この周波数ｆmのＴＳパケットの受信で取得したＮＩＴ情報nit-fmは、そのデータ部の内容が解析部４に渡され、解析部４では必要な項目としてそのバージョン情報VI-fmと、そのチャンネル情報（チャンネル周波数等）CI-fm とを抽出する（ステップＳ５６-1）。
【００４３】
その上で、受信装置１０は、ＮＩＴ情報保存記憶部ＮＭに既に取得済のＮＩＴ情報nit-1のバージョン情報VI-CL1と、ステップＳ５６-1で新たに取得したＮＩＴ情報nit-ｆmのバージョン情報VI- fmとを比較し（ステップＳ５７-1）、いずれのＮＩＴ情報、すなわち、nit-1又はnit-fmのいずれが新しいバージョンであるかを判定する（ステップＳ５８-1）。
【００４４】
この結果、ステップＳ５８-1で、今回新たに取得したＮＩＴ情報nit-ｆmのバージョン情報VI-fmが、既に取得済のＮＩＴ情報nit-1のバージョン情報VI-CL1よりも新しくなっていることが判定された場合は、今回新たに取得したＮＩＴ情報nit-ｆmを、既に取得済のＮＩＴ情報nit-1に代え、ＮＩＴ情報保存記憶部ＮＭに保存する（ステップＳ５９-1）。
【００４５】
そして、今回新たに取得したＮＩＴ情報nit-ｆmからチャンネルリストＣＬ-fmを作成し（ステップＳ６０-1）、これを、既に取得済のＮＩＴ情報nit-1のチャンネルリストCL1に上書きし、ＮＩＴ情報nit-1のチャンネルリストCL1の最新バージョンとして、ＮＩＴ情報保存記憶部ＮＭの既に取得済のＮＩＴ情報nit-1の内容を更新する（ステップＳ６１-1）。
【００４６】
これに対し、上記ステップＳ５５-1で、受信中周波数ｆmと同じチャンネル周波数ｆがリストＣＬ1になかった場合は、ＮＩＴ情報保存記憶部ＮＭに既に取得済の次のＮＩＴ情報nit-2について、上記したステップＳ５４-1以降と同様な処理（ステップＳ５４-2，Ｓ５５-2，）を行い、当該受信中周波数ｆmと同じチャンネル周波数ｆmを含む既に作成済のリストＣＬmがチャンネルリスト記憶部ＬＭにないことが確認されるまで、全リストＣＬ1〜ＣＬnについての確認が行われる。
【００４７】
この結果、当該受信中周波数ｆmと同じチャンネル周波数が作成済の全リストＣＬ1〜ＣＬnに含まれていない場合は、受信装置１０は、ステップＳ５７-1，５８-1に示すのと同様なバージョン情報VIに関する確認処理を行うことなく、前述したステップＳ５６-1及びステップＳ５９-1〜Ｓ６１-1に示すのと同様な処理を行うことによって、ＮＩＴ情報nit-ｆmについてＮＩＴ情報nit-n+1としてＮＩＴ情報保存記憶部ＮＭに対する新規登録処理、及びチャンネルリストＣＬn+1のチャンネルリスト記憶部ＬＭに対する新規登録処理を行う。
【００４８】
図５は、本実施の形態に係る受信装置１０のチャンネルリスト記憶部ＬＭに記憶されているチャンネルリストＣＬの構成例を示したものである。
チャンネルリストＣＬには、前述した図３に示した受信装置１のチャンネルリストＣＬと同様に、各チャンネルのＩＤ番号の他、そのチャンネル周波数ｆや、ＴＳのＩＤ番号等が各ＮＩＴ情報毎に対応づけて記憶され、各ＮＩＴ情報毎に管理できるようになっている。
【００４９】
これにより、従来の受信装置では、チャンネルリストが一つしか保存されていなかったので、リスト表示も当然一つだけであったが、本実施の形態に係る受信装置１０は、複数の受信可能なチャンネルリストＣＬ1〜ＣＬnを保存しているので、これらを全て視聴するができる。
【００５０】
そのため、ユーザによる視聴の際の選局作業は、本実施の形態に係る受信装置１０では、このチャンネルリストＣＬ1〜ＣＬnの受信装置１０の画面上への表示方法を、受信装置１０に設けられている操作部８の所定操作に応じて切替えて、所望の表示方法で行えるようになっている。
【００５１】
すなわち、受信装置１０は、操作部８の所定操作によって、チャンネルリスト記憶部ＬＭに接続されている切換表示制御手段（図示略）を作動させて、画面に表示するチャンネルリストＣＬmをチャンネルリスト記憶部ＬＭに記憶されているチャンネルリストＣＬ1〜ＣＬn間で切替え、各チャンネルリスト毎個別に画面上に表示する。さらに、受信装置１０の場合は、操作部８の所定操作によって、チャンネルリスト記憶部ＬＭに接続されているチャンネルリスト編集手段（図示略）を作動させて、周波数順や、ＴＳのＩＤ番号、チャンネル番号等で各チャンネルリストＣＬ1〜ＣＬnの個別項目データをソートし、各チャンネルリストＣＬ1〜ＣＬnの情報を統合して一つの統合チャンネルリストＣＬtとして再構築し、全チャンネルリストＣＬ1〜ＣＬnからなる統合チャンネルリストＣＬtや、各チャンネルリストＣＬ1〜ＣＬnの中から選択された所望のチャンネルだけからなる統合チャンネルリストＣＬtを、画面上に一括して表示する。
【００５２】
そして、このために受信装置１０には、操作部８の操作信号に基づき切換表示制御手段とチャンネルリスト編集手段とを選択的に作動させる作動制御手段が、ＣＰＵ６によって構成されており、ユーザによる操作部８の所定操作を受けて、作動制御手段が切換表示制御手段又はチャンネルリスト編集手段を選択的に作動させることによって、個別チャンネルリストＣＬmと統合チャンネルリストＣＬtとの間の表示切替えも、容易に行える構成になっている。
【００５３】
また、操作部８も、リモコンや、本体ケーシング，画面上に装備される構成となっており、この操作部８に設けられた１乃至複数の所定のボタン、又はこの所定のボタンに替わる操作手段で、ユーザのチャンネル切替えの利便性を向上させることができるようになっている。
したがって、以上のように構成される本実施の形態の受信装置１０によれば、自動的に受信帯域内の受信可能なチャンネル全てを選局し、ユーザは、受信可能なチャンネルであれば容易に視聴することが可能になる。
【００５４】
【発明の効果】
以上のように、本発明の受信装置によれば、同じ受信帯域全域に存在する全ての放送チャンネルを受信し、そこに含まれる複数のＮＩＴ情報を個別に選局可能に保存しているので、より広範にデジタル放送番組の提供ができるようになる。そして、おのおののＮＩＴ情報を個別に管理することによって、ＮＩＴ情報の更新や、放送エリア毎のチャンネルリストの作成を可能にした地上波デジタル放送の受信装置を提供することができ、視聴者の利便性が向上する。
【図面の簡単な説明】
【図１】本発明の実施の形態に係る受信装置１（１０）の構成を示すブロック図である。
【図２】本発明の一の実施の形態に係る受信装置１の動作を説明するフローチャートである。
【図３】図２の実施の形態に係る受信装置１のチャンネルリスト記憶部ＬＭに記憶されているチャンネルリストＣＬの構成例を示したものである。
【図４】本発明の他の実施の形態に係る受信装置１０の動作を説明するフローチャートである。
【図５】図４の実施の形態に係る受信装置１０のチャンネルリスト記憶部ＬＭに記憶されているチャンネルリストＣＬの構成例を示したものである。
【図６】地上波放送の放送エリアの模式図を示す。
【図７】ＭＰＥＧシステムを基本とする従来のデジタル放送受信装置で用いられていたＮＩＴ情報の保存方法を説明するフローチャートである。
【符号の説明】
１  受信装置
２  アンテナ
３  同調部
４  解析部
５  映像音声処理部
６  ＣＰＵ
７  メモリ
８  操作部
１０  受信装置
３０  自動同調手段
ＮＭ  ＮＩＴ情報保存記憶部
ＬＭ  チャンネルリスト記憶部
ＣＬ  チャンネルリスト
ＣＬm  個別チャンネルリスト
ＣＬt  統合チャンネルリスト
【図１】
0003720722.tif 000002
【図２】
0003720722.tif 000003
【図３】
0003720722.tif 000004
【図４】
0003720722.tif 000005
【図５】
0003720722.tif 000006
【図６】
0003720722.tif 000007
【図７】
0003720722.tif 000008